(57)【要約】  本発明は、無線通信システム内でマルチポイント送信器からまたはマルチポイント受信器への少なくとも１つの第１送信、およびシングルポイント送信器からシングルポイント受信器への少なくとも１つの第２送信を調整する方法に関する。この方法は、無線通信システムの少なくとも２つのサービング・エリアについて少なくとも１つの第１送信について少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２）を予約し、少なくとも２つのサービング・エリア）について少なくとも１つの第２送信について少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３）をさらに予約するステップを含む。本発明は、さらに、無線通信システム内でマルチポイント送信器からのまたはマルチポイント受信器への、少なくとも１つの第１送信および少なくとも１つの第２送信を調整するネットワーク・ノード（ＮＳ１、ＮＳ２）と、無線通信システム内で使用される移動局とに関する。
2014529961.tif 000002
【特許請求の範囲】
【請求項１】
移動局（ＭＳ、ＭＳ１、ＭＳ２）から無線通信システム（ＲＣＳ）の少なくとも２つのアンテナ・システムを含むマルチポイント受信器への少なくとも１つの第１アップリンク送信、および前記移動局（ＭＳ、ＭＳ１、ＭＳ２）から前記無線通信システム（ＲＣＳ）の単一のアンテナ・システムであるシングルポイント受信器への少なくとも１つの第２アップリンク送信を調整する方法（ＭＥＴ）であって、前記無線通信システム（ＲＣＳ）の少なくとも２つのサービング・エリア（ＢＳ１−Ｃ１、ＢＳ３−Ｃ１）について前記少なくとも１つの第１アップリンク送信に関する少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）を予約し、前記少なくとも２つのサービング・エリア（ＢＳ１−Ｃ１、ＢＳ３ーＣ１）について前記少なくとも１つの第２アップリンク送信に関する少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）をさらに予約するステップ（Ｍ１／１１）を含む方法（ＭＥＴ）において、
前記少なくとも１つの第１アップリンク送信について少なくとも１つの第１電力制御パラメータ（ＰＣＰ１）を事前に定義するステップ（Ｍ１／１）と、
前記少なくとも１つの第２アップリンク送信について少なくとも１つの第２電力制御パラメータ（ＰＣＰ２）を事前に定義するステップ（Ｍ１／２）と、
前記移動局（ＭＳ、ＭＳ１、ＭＳ２）のうちの少なくとも１つに前記事前に定義された少なくとも１つの第１電力制御パラメータ（ＰＣＰ１）および前記事前に定義された少なくとも１つの第２電力制御パラメータ（ＰＣＰ２）を送信するステップ（Ｍ１／５）と、
前記移動局（ＭＳ、ＭＳ１、ＭＳ２）のうちの前記少なくとも１つで、前記事前に定義された少なくとも１つの第１電力制御パラメータ（ＰＣＰ１）および前記事前に定義された少なくとも１つの第２電力制御パラメータ（ＰＣＰ２）を格納するステップ（Ｍ１／７）と、
前記移動局（ＭＳ、ＭＳ１、ＭＳ２）のうちの前記少なくとも１つに、前記少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）または前記少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）を示す指示（ＩＮＤ３）を送信するステップ（Ｍ１／１４）と、
前記移動局（ＭＳ、ＭＳ１、ＭＳ２）のうちの前記少なくとも１つで、前記受信された指示（ＩＮＤ３）に基づいて、前記少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）に関して前記事前に定義された少なくとも１つの第１電力制御パラメータ（ＰＣＰ１）を、または前記少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）について前記事前に定義された少なくとも１つの第２電力制御パラメータ（ＰＣＰ２）を適用するステップ（Ｍ１／１６）と
をさらに含むことを特徴とする、方法（ＭＥＴ）。
【請求項２】
少なくとも１つの基地局（ＢＳ、ＢＳ１からＢＳ４）の状況情報（ＩＮＦＯ−ＲＵ）を前記無線通信システム（ＲＣＳ）の前記少なくとも１つの基地局（ＢＳ、ＢＳ１からＢＳ４）から受信するステップ（Ｍ１／９）と、
前記受信された状況情報（ＩＮＦＯ−ＲＵ）に基づいて、前記少なくとも第１アップリンク送信に関する前記少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）の第１サイズ、前記少なくとも１つの第２アップリンク送信に関する前記少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）の第２サイズ、および前記少なくとも２つのサービング・エリア（ＢＳ１−Ｃ１、ＢＳ３−Ｃ１）を含む協力エリア（ＣＡ）を判定するステップ（Ｍ１／１０）と、
前記予約された少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）または前記予約された少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）のうちの少なくとも１つの無線リソース情報（ＩＮＦＯ−ＲＲ１、ＩＮＦＯ−ＲＲ２）を前記協力エリア（ＣＡ）のために働く前記少なくとも１つの基地局（ＢＳ、ＢＳ１、ＢＳ３）に送信するステップ（Ｍ１／１２）と
をさらに含む、請求項１に記載の方法（ＭＥＴ）。
【請求項３】
前記事前に定義された少なくとも１つの第１電力制御パラメータ（ＰＣＰ１）および前記事前に定義された少なくとも１つの第２電力制御パラメータ（ＰＣＰ２）は、ブロードキャストで送信される、請求項１に記載の方法（ＭＥＴ）。
【請求項４】
前記指示（ＩＮＤ３）は、アップリンク・リソース・グラントである、請求項１または３に記載の方法（ＭＥＴ）。
【請求項５】
前記事前に定義された少なくとも１つの第１電力制御パラメータ（ＰＣＰ１）および前記事前に定義された少なくとも１つの第２電力制御パラメータ（ＰＣＰ２）のうちの１つは、絶対値として送信され、前記事前に定義された少なくとも１つの第１電力制御パラメータ（ＰＣＰ１）および前記事前に定義された少なくとも１つの第２電力制御パラメータ（ＰＣＰ２）のうちのもう１つは、前記絶対値に関する差値として送信される、請求項１、３または４のいずれか１項に記載の方法（ＭＥＴ）。
【請求項６】
前記状況情報（ＩＮＦＯ−ＲＵ）は、データ・トラフィック関連情報、および／または移動局関連情報および／または基地局関連情報を含む、請求項２に記載の方法（ＭＥＴ）。
【請求項７】
前記データ・トラフィック関連情報は、前記移動局（ＭＳ、ＭＳ１、ＭＳ２）のうちの少なくとも１つで保留中のデータ・トラフィックのある量の情報および／または前記保留中のトラフィックの少なくとも１つのサービス品質タイプの情報を含む、請求項６に記載の方法（ＭＥＴ）。
【請求項８】
前記移動局関連情報は、前記移動局（ＭＳ、ＭＳ１、ＭＳ２）のうちの少なくとも１つの速度の情報および／または前記移動局（ＭＳ、ＭＳ１、ＭＳ２）のうちの前記少なくとも１つから受信されるアップリンク信号の信号対干渉雑音比の情報および／または前記移動局（ＭＳ、ＭＳ１、ＭＳ２）のうちの前記少なくとも１つの電力ヘッドルームの情報を含む、請求項６に記載の方法（ＭＥＴ）。
【請求項９】
前記基地局関連情報は、前記少なくとも１つの第１アップリンク送信に関する前記少なくとも１つの基地局（ＢＳ１からＢＳ４）での残りの処理容量の情報、ならびに／または前記少なくとも１つの基地局（ＢＳ１からＢＳ４）の少なくとも１つのバックホール・インターフェース（Ｌ１、Ｌ２、Ｌ３、Ｌ４）上のトラフィック容量の情報、ならびに／または前記少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）の前記第１サイズと前記少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）の前記第２サイズとの比が変更される場合に、前記少なくとも１つの基地局（ＢＳ１からＢＳ４）で予測される性能利益の情報、ならびに／または前記少なくとも１つの基地局（ＢＳ１からＢＳ４）での前記少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）および／もしくは前記少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）の現在の容量利用の情報を含む、
請求項６に記載の方法（ＭＥＴ）。
【請求項１０】
前記少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）の前記予約および前記少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）の前記予約は、前記少なくとも１つの第１アップリンク送信を適用する前記移動局（ＭＳ、ＭＳ１、ＭＳ２）の数が事前定義のしきい値を超える場合に、実行される、請求項１乃至９のいずれか１項に記載の方法（ＭＥＴ）。
【請求項１１】
移動局（ＭＳ、ＭＳ１、ＭＳ２）から無線通信システム（ＲＣＳ）の少なくとも２つのアンテナ・システムを含むマルチポイント受信器への少なくとも１つの第１アップリンク送信、および前記移動局（ＭＳ、ＭＳ１、ＭＳ２）から前記無線通信システム（ＲＣＳ）の単一のアンテナ・システムであるシングルポイント受信器への少なくとも１つの第２アップリンク送信を調整するネットワーク・ノード（ＮＮ）であって、前記無線通信システム（ＲＣＳ）の少なくとも２つのサービング・エリア（ＢＳ１−Ｃ１、ＢＳ３−Ｃ１）について前記少なくとも１つの第１アップリンク送信に関する少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）を予約し、前記少なくとも２つのサービング・エリア（ＢＳ１−Ｃ１、ＢＳ３−Ｃ１）について前記少なくとも１つの第２アップリンク送信に関する少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）をさらに予約する手段（ＮＮ−ＣＰＵ、ＮＮ−ＰＲＯＧ）を含むネットワーク・ノード（ＮＮ）において、
前記少なくとも１つの第１アップリンク送信について少なくとも１つの第１電力制御パラメータ（ＰＣＰ１）を事前に定義し、前記少なくとも１つの第２アップリンク送信について少なくとも１つの第２電力制御パラメータ（ＰＣＰ２）を事前に定義する手段（ＮＮ−ＣＰＵ、ＮＮ−ＰＲＯＧ）と、
前記移動局（ＭＳ、ＭＳ１、ＭＳ２）のうちの少なくとも１つに、前記事前に定義された少なくとも１つの第１電力制御パラメータ（ＰＣＰ１）、前記事前に定義された少なくとも１つの第２電力制御パラメータ（ＰＣＰ２）、および前記少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）または前記少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）を示す指示（ＩＮＤ３）を送信する手段（ＢＳ−ＴＲ、ＢＳ−ＡＳ、ＮＮ−ＴＲ、ＮＮ−ＣＯＮ）と
をさらに含むことを特徴とする、ネットワーク・ノード（ＮＮ）。
【請求項１２】
前記ネットワーク・ノード（ＮＮ）は、基地局（ＢＳ１からＢＳ４）またはネットワーク・サーバ（ＮＳ１、ＮＳ２）である、請求項１１に記載のネットワーク・ノード（ＮＮ）。
【請求項１３】
無線通信システム（ＲＣＳ）内で使用される移動局（ＭＳ、ＭＳ１、ＭＳ２）であって、前記移動局（ＭＳ、ＭＳ１、ＭＳ２）は、
前記移動局（ＭＳ、ＭＳ１、ＭＳ２）から前記無線通信システム（ＲＣＳ）の少なくとも２つのアンテナ・システムを含むマルチポイント受信器への少なくとも１つの第１アップリンク送信に関する事前に定義された少なくとも１つの第１電力制御パラメータ（ＰＣＰ１）を受信し、前記無線通信システム（ＲＣＳ）の単一アンテナ・システムであるシングルポイント受信器への前記移動局（ＭＳ、ＭＳ１、ＭＳ２）からの少なくとも１つの第２アップリンク送信に関する事前に定義された少なくとも１つの第２電力制御パラメータ（ＰＣＰ２）を受信し、前記少なくとも１つの第１アップリンク送信のために予約される少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）または前記少なくとも１つの第２アップリンク送信のために予約される少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）を示す指示（ＩＮＤ３）を受信する手段（ＭＳ−ＡＳ、ＭＳ−ＴＲ）と、
前記事前に定義された少なくとも１つの第１電力制御パラメータ（ＰＣＰ１）および前記事前に定義された少なくとも１つの第２電力制御パラメータ（ＰＣＰ２）を格納する手段（ＭＳ−ＭＥＭ）と、
前記受信された指示（ＩＮＤ３）に基づいて、前記少なくとも１つの第１無線リソース（Ｓ１−Ｆ１からＳ３−Ｆ１、Ｓ９−Ｆ１、Ｓ１０−Ｆ１、Ｓ１−Ｆ２、Ｓ１−Ｆ１ｂ−ＢＷ２からＳ１０−Ｆ１ｂ−ＢＷ２、Ｓ１−Ｆ２ｂ−ＢＷ２、Ｓ５−Ｆ１ｃ−ＢＷ１ｃからＳ９−Ｆ１ｃ−ＢＷ１ｃ、Ｓ１−Ｆ１ｃ−ＢＷ２ｃ、Ｓ２−Ｆ１ｃ−ＢＷ２ｃ、Ｓ６−Ｆ１ｃ−ＢＷ２ｃからＳ１０−Ｆ１ｃ−ＢＷ２ｃ、Ｓ１−Ｆ２ｃ−ＢＷ２ｃ、Ｓ１−Ｆ１ｃ−ＢＷ３ｃからＳ３−Ｆ１ｃ−ＢＷ３ｃ、Ｓ８−Ｆ１ｃ−ＢＷ３ｃからＳ１０−Ｆ１ｃ−ＢＷ３ｃ、Ｓ１−Ｆ２ｃ−ＢＷ３ｃ）について前記事前に定義された少なくとも１つの第１電力制御パラメータ（ＰＣＰ１）を、または前記少なくとも１つの第２無線リソース（Ｓ４−Ｆ１からＳ８−Ｆ１、Ｓ１−Ｆ１ｂ−ＢＷ１からＳ１０−Ｆ１ｂ−ＢＷ１、Ｓ１−Ｆ２ｂ−ＢＷ１、Ｓ１−Ｆ１ｂ−ＢＷ３からＳ１０−Ｆ１ｂ−ＢＷ３、Ｓ１−Ｆ２ｂ−ＢＷ３、Ｓ１−Ｆ１ｃ−ＢＷ１ｃからＳ４−Ｆ１ｃ−ＢＷ１ｃ、Ｓ１０−Ｆ１ｃ−ＢＷ１ｃ、Ｓ１−Ｆ２ｃ−ＢＷ１ｃ、Ｓ３−Ｆ１ｃ−ＢＷ２ｃからＳ５−Ｆ１ｃ−ＢＷ２ｃ、Ｓ４−Ｆ１ｃ−ＢＷ３ｃからＳ７−Ｆ１ｃ−ＢＷ３ｃ）について前記事前に定義された少なくとも１つの第２電力制御パラメータ（ＰＣＰ２）を適用する手段（ＭＳ−ＣＰＵ、ＭＳ−ＰＲＯＧ）と
を含む、移動局（ＭＳ、ＭＳ１、ＭＳ２）。
【請求項１４】
前記移動局（ＭＳ、ＭＳ１、ＭＳ２）は、セルラ電話機、ポータブル・コンピュータ、ポケット・コンピュータ、ハンドヘルド・コンピュータ、携帯情報端末、または車載モバイル・デバイスである、請求項１３に記載の移動局（ＭＳ、ＭＳ１、ＭＳ２）。
【発明の詳細な説明】
【技術分野】
【０００１】
本発明は、無線通信に関し、より詳細には、限定するものではないが、無線通信システムでの、マルチポイント送信器からまたはマルチポイント受信器への少なくとも１つの第１送信と、シングルポイント送信器からシングルポイント受信器への少なくとも１つの第２送信との調整に関する。
【背景技術】
【０００２】
ＵＭＴＳ（ＵＭＴＳ＝Ｕｎｉｖｅｒｓａｌ  Ｍｏｂｉｌｅ  Ｔｅｌｅｃｏｍｍｕｎｉｃａｔｉｏｎ  Ｓｙｓｔｅｍｓ）でのソフト・ハンドオーバに似て、ＣｏＭＰ送信（ＣｏＭＰ＝Ｃｏｏｐｅｒａｔｉｖｅ  Ｍｕｌｔｉｐｏｉｎｔ）およびＣｏＭＰ受信は、ＬＴＥ（ＬＴＥ＝Ｌｏｎｇ  Ｔｅｒｍ  Ｅｖｏｌｕｔｉｏｎ）などの無線通信システムで総合的な性能利益を得るための効率的な送信方式および受信方式である。これによって、追加の周波数スペクトルを必要とせず、また、送信電力の増加を必要とせずに、全体的なデータ・レートを高めることができる。特に、２つの無線セルまたは２つの無線セクタの間の境界に位置するユーザは、ＣｏＭＰ送信および／またはＣｏＭＰ受信から利益を得ることができる。
【０００３】
ＣｏＭＰ送信は、無線通信システムのマルチポイント送信器（たとえば、同一のデータを送信する、１つまたは複数の基地局の複数のアンテナ・システム）から移動局へのダウンリンク・データの送信を意味する。ＣｏＭＰ受信は、移動局によって送信されたアップリンク・データの、無線通信システムのマルチポイント受信器（たとえば、送信器から同一のデータを受信する１つまたは複数の基地局の複数のアンテナ・システム）での受信を意味する。無線通信システムは、通常、特定のＩｏＴ動作ポイント（ＩｏＴ＝ｉｎｔｅｒｆｅｒｅｎｃｅ  ｏｖｅｒ  ｔｈｅｒｍａｌ  ｎｏｉｓｅ）で操作される。ＩｏＴは、無線セルでの総受信干渉電力を熱雑音電力で割ったものと定義される。干渉電力は、熱雑音と、他の無線セル内のすべての移動局送信からの受信電力との和からなる。移動局から無線通信システムの単一のアンテナ・システムへのシングルポイント・トゥー・シングルポイント送信について、無線通信システムのＩｏＴ動作ポイントは、ＣｏＭＰモードでの無線通信システムのＩｏＴ動作ポイントよりはるかに低い。これは、たとえばアップリンクＣｏＭＰモードで送信する移動局が、アップリンクＣｏＭＰモードで送信するのではなくシングルポイント・トゥー・シングルポイント送信によってアップリンク・データを送信するさらなる移動局とは異なる電力制御パラメータを用いて操作されなければならないことを意味する。
【０００４】
シングルポイント・トゥー・シングルポイント送信では、送信器のアンテナ・システムの１つまたは複数のアンテナ要素および受信器のアンテナ・システムの１つまたは複数のアンテナ要素を適用することができる。アップリンクＣｏＭＰモードで動作する移動局の第１グループおよびアップリンクＣｏＭＰモードで動作していない移動局の第２グループと共に無線通信システムを同時に動作させることは、より高いＩｏＴ動作ポイントを使用することによって第２グループの移動局の性能およびカバレージ・エリアを劣化させ、より低いＩｏＴ動作ポイントを使用することによって全体的性能を下げる可能性がある。
【先行技術文献】
【非特許文献】
【０００５】
【非特許文献１】３ＧＰＰ  ＴＳ  ３６．２１３  Ｖ１０．２．０，  ｓｅｃｔｉｏｎ  ５．１．１の第９ページ
【非特許文献２】３ＧＰＰ  ＴＳ  ３６．２１３  Ｖ１０．２．０，  ｓｅｃｔｉｏｎ  ５．１．１．１
【非特許文献３】３ＧＰＰ  ＴＳ  ３６．２１４  Ｖ１０．１．０，  ｓｅｃｔｉｏｎ  ５．１．１．１
【非特許文献４】Ａｎｉｌ  Ｍ．Ｒａｏ、「Ｒｅｖｅｒｓｅ  Ｌｉｎｋ  Ｐｏｗｅｒ  Ｃｏｎｔｒｏｌ  ｆｏｒ  Ｍａｎａｇｉｎｇ  Ｉｎｔｅｒ−Ｃｅｌｌ  Ｉｎｔｅｒｆｅｒｅｎｃｅ  ｉｎ  Ｏｒｔｈｏｇｏｎａｌ  Ｍｕｌｔｉｐｌｅ  Ａｃｃｅｓｓ  Ｓｙｓｔｅｍｓ」、Ｖｅｈｉｃｕｌａｒ  Ｔｅｃｈｎｏｌｏｇｙ  Ｃｏｎｆｅｒｅｎｃｅ、２００７、ＶＴＣ−２００７  Ｆａｌｌ、２００７  ＩＥＥＥ  ６６ｔｈ
【発明の概要】
【発明が解決しようとする課題】
【０００６】
ＣｏＭＰモードによって移動局の第１グループを、およびシングルポイント・トゥー・シングルポイント送信によって移動局の第２グループを同時に無線通信システム内でサービスする形は、第２グループの移動局に対する妨害を減らし、無線通信システムの全体的性能を高めることを強く求める。したがって、本発明の目的は、第２グループの移動局の妨害を除去し、ＣｏＭＰモードでの送信およびシングルポイント・トゥー・シングルポイント・モードによるさらなる送信を同時に提供する無線通信システムの全体的性能を高めることである。
【課題を解決するための手段】
【０００７】
この目的は、無線通信システム内で、マルチポイント送信器からまたはマルチポイント受信器への少なくとも１つの第１送信、およびシングルポイント送信器からシングルポイント受信器への少なくとも１つの第２送信を調整する方法であって、無線通信システムの少なくとも２つのサービング・エリアについて少なくとも１つの第１送信について少なくとも１つの第１無線リソースを予約し、少なくとも２つのサービング・エリアについて少なくとも１つの第２送信について少なくとも１つの第２無線リソースをさらに予約するステップを含む方法によって達成される。
【０００８】
シングルポイント送信器は、たとえば、１つまたは複数のアンテナ要素を含むアンテナ・システムを有する移動局とすることができ、あるいは、１つまたは複数のアンテナ要素を有する無線通信システムの単一のアンテナ・システムとすることができる。同様に、シングルポイント受信器は、たとえば、１つまたは複数のアンテナ要素を有する移動局とすることができ、あるいは、１つまたは複数のアンテナ要素を有する無線通信システムの単一のアンテナ要素とすることができる。
【０００９】
少なくとも２つのサービング・エリアは、たとえば、少なくとも２つの無線セルまたは少なくとも２つの無線セクタ、あるいは無線セルと無線セクタとの混合とすることができる。少なくとも１つの第１無線リソースまたは少なくとも１つの第２無線リソースは、たとえば、時間リソース、周波数リソース、または時間リソースと周波数リソースとの組合せとすることができる。時間リソースは、たとえば、無線フレームの１つまたは複数のサブフレームとすることができ、周波数リソースは、たとえば、１つまたは複数の周波数副搬送波ブロックとすることができる。
【００１０】
少なくとも１つの第１送信は、たとえば、無線通信システムの１つまたは複数の基地局の少なくとも２つのアンテナ・システムから１つまたは複数の移動局へのダウンリンク・データの１つまたは複数のｃｏｏｐｅｒａｔｉｖｅ  ｍｕｌｔｉｐｏｉｎｔ送信、および／あるいは１つまたは複数の移動局によって送信されたアップリンク・データの、無線通信システムの１つまたは複数の基地局の複数のアンテナ・システムでの１つまたは複数のｃｏｏｐｅｒａｔｉｖｅ  ｍｕｌｔｉｐｏｉｎｔ受信とすることができる。
【００１１】
この目的は、さらに、無線通信システム内でマルチポイント送信器からまたはマルチポイント受信器への少なくとも１つの第１送信およびシングルポイント送信器からシングルポイント受信器への少なくとも１つの第２送信を調整するネットワーク・ノードによって達成される。ネットワーク・ノードは、たとえば基地局またはネットワーク・サーバとすることができる。本発明による方法は、ＣｏＭＰモードの移動局とシングルポイント・トゥー・シングルポイント送信モードのさらなる移動局との共存の問題を解決するという第１の利益を提供する。
【００１２】
本発明による方法は、無線通信システムの全体的性能を高めるという第２の利益を提供する。本発明による方法は、ＣｏＭＰモードの移動局による、シングルポイント・トゥー・シングルポイント送信モードの移動局の性能およびカバレージに対する悪影響を除去するまたは減らすという第３の利益をも提供する。
【００１３】
この方法は、ＣｏＭＰモードの移動局とシングルポイント・トゥー・シングルポイント送信モードのさらなる移動局との単純な分離を提供するという第４の利益を提供する。この単純な分離は、各個々の第１送信または第２送信に関して追加の調整または無線リソースを全く必要としない。
【００１４】
好ましい実施形態では、この方法は、少なくとも１つの基地局の状況情報を無線通信システムの少なくとも１つの基地局から受信するステップと、受信された状況情報に基づいて、少なくとも１つの第１送信に関する少なくとも１つの第１無線リソースの第１サイズを判定し、少なくとも１つの第２送信に関する少なくとも１つの第２無線リソースの第２サイズを判定し、少なくとも２つのサービング・エリアを含む協力エリア（ｃｏｏｐｅｒａｔｉｏｎ  ａｒｅａ、ＣＡ）を判定するステップと、予約された少なくとも１つの第１無線リソースまたは予約された少なくとも１つの第２無線リソースのうちの少なくとも１つの無線リソース情報を協力エリアのために働く少なくとも１つの基地局に送信するステップとをさらに含む。
【００１５】
さらなる好ましい実施形態によれば、この方法は、少なくとも１つの第１送信について少なくとも１つの第１電力制御パラメータを事前に定義するステップと、少なくとも１つの第２送信について少なくとも１つの第２電力制御パラメータを事前に定義するステップと、少なくとも１つの移動局に事前に定義された少なくとも１つの第１電力制御パラメータおよび事前に定義された少なくとも１つの第２電力制御パラメータを送信するステップと、少なくとも１つの移動局で、事前に定義された少なくとも１つの第１電力制御パラメータおよび事前に定義された少なくとも１つの第２電力制御パラメータを格納するステップと、少なくとも１つの移動局に、少なくとも１つの第１無線リソースまたは少なくとも１つの第２無線リソースを示す指示を送信するステップと、少なくとも１つの移動局で、受信された指示に基づいて、少なくとも１つの第１無線リソースに関して事前に定義された少なくとも１つの第１電力制御パラメータを、または少なくとも１つの第２無線リソースについて事前に定義された少なくとも１つの第２電力制御パラメータを適用するステップとをさらに含む。これは、少なくとも１つの移動局が少なくとも１つの第１送信と少なくとも１つの第２送信との間で複数回切り替える場合に、これらのパラメータおよび指示が、少なくとも１つの移動局に１回だけ送信されなければならず、さらなる送信が不要であるという利益を提供する。さらなる好ましい実施形態では、事前定義された少なくとも１つの第１電力制御パラメータおよび事前定義された少なくとも１つの第２電力制御パラメータが、ブロードキャストで送信される。これによって、単一のメッセージだけが、無線セルまたは無線セクタなどのサービス・エリア内に現在存在するすべての移動局に送信され、シグナリングに関して必要となる無線リソースがより少なくなる。
【００１６】
さらなる好ましい実施形態では、少なくとも１つのアップリンク送信の指示は、アップリンク・リソース・グラントに含まれる。これは、格納された電力制御パラメータのどれが次のアップリンク送信に使用されなければならないのかを少なくとも１つの移動局に知らせる追加のシグナリング・メッセージを必要としないという第１の利益を提供する。これは、あるアップリンク・リソース・グラントから次のアップリンク・リソース・グラントへの第１送信と第２送信との間の簡単な切り替えを可能にするという第２の利益を提供する。
【００１７】
さらなる好ましい実施形態によれば、事前に定義された少なくとも１つの第１電力制御パラメータおよび事前に定義された少なくとも１つの第２電力制御パラメータのうちの１つは、絶対値として送信され、事前に定義された少なくとも１つの第１電力制御パラメータおよび事前に定義された少なくとも１つの第２電力制御パラメータのうちのもう１つは、絶対値に関する差値として送信される。これは、事前定義の少なくとも１つの第１電力制御パラメータおよび事前定義の少なくとも１つの第２電力制御パラメータのうちのさらなる１つを送信するためのディジタル・ビットなどのリソースの適用をより少なくすることを可能にする。
【００１８】
好ましくは、状況情報は、データ・トラフィック関連情報、および／または移動局関連情報および／または基地局関連情報を含むことができる。
【００１９】
データ・トラフィック関連情報は、たとえば、１つまたは複数の移動局で保留中のデータ・トラフィックのある量の情報および／または保留中のトラフィックの１つまたは複数のサービス・タイプの情報を含むことができる。
【００２０】
移動局関連情報は、たとえば、少なくとも１つの基地局によってサービスされる少なくとも１つの移動局の速度の情報および／または少なくとも１つの移動局から受信されるアップリンク信号の信号対干渉雑音比の情報および／または少なくとも１つの移動局の電力ヘッドルームの情報を含むことができる。
【００２１】
基地局関連情報は、たとえば、少なくとも１つの第１送信に関する少なくとも１つの基地局の処理容量の情報、ならびに／または少なくとも１つの基地局の少なくとも１つのバックホール・インターフェース上のトラフィック容量の情報、ならびに／または少なくとも１つの第１無線リソースの第１サイズと少なくとも１つの第２無線リソースの第２サイズとの比が変更される場合に、少なくとも１つの基地局での予測される性能利益の情報、ならびに／または少なくとも１つの基地局での少なくとも１つの第１無線リソースおよび／もしくは少なくとも１つの第２無線リソースの現在の容量利用の情報を含むことができる。
【００２２】
さらなる好ましい実施形態によれば、少なくとも１つの第１無線リソースおよび少なくとも１つの第２無線リソースの予約は、少なくとも１つの第１送信モードで受信するか少なくとも１つの第１送信を適用する移動局の数が事前定義のしきい値を超える場合に、実行される。これによって、無線リソースが、特定の時間の間にＣｏＭＰモードのために予約され、シングルポイント・トゥー・シングルポイント送信に柔軟に使用できなくなることを回避することができる。
【００２３】
本発明のさらなる有利な特徴は、本発明の次の詳細な説明で定義され、説明される。
【００２４】
本発明の実施形態は、次の詳細な説明で明白になり、非限定的な例示として与えられる添付図面によって示される。
【図面の簡単な説明】
【００２５】
【図１】無線通信システムのネットワーク・ノードを概略的に示すブロック図である。
【図２】無線通信システムのネットワーク・ノードによって実行される方法を例示的に示す流れ図である。
【図３】マルチポイント送信器またはマルチポイント受信器を用いる送信とシングルポイント・トゥー・シングルポイント送信とに関する無線リソースの同時予約の例示的な２つの可能性を示す図である。
【図４】マルチポイント送信器またはマルチポイント受信器を用いる送信とシングルポイント・トゥー・シングルポイント送信とに関する無線リソースの同時予約のさらなる可能性を例示的に示す図である。
【図５】無線通信システムで使用されるネットワーク・ノードを概略的に示すブロック図である。
【図６】無線通信システムで使用される移動局を概略的に示すブロック図である。
【発明を実施するための形態】
【００２６】
図１に、無線アクセス・ネットワークＲＡＮを含む無線通信システムＲＣＳを示す。無線通信システムＲＣＳのコア・ネットワークおよびさらなる無線通信システム、インターネット、または固定回線通信システムへの無線通信システムＲＣＳの接続は、単純化のために図示されていない。
【００２７】
無線通信システムＲＣＳは、たとえば、ＯＦＤＭ（ＯＦＤＭ＝直交周波数分割多重）を使用する３ＧＰＰ  ＬＴＥ無線通信ネットワークとすることができる。さらなる代替案では、無線通信システムＲＣＳは、たとえば、ＩＥＥＥ  ８０２．１６標準規格ファミリ（ＩＥＥＥ＝米国電気電子技術者協会）に基づくＷｉＭＡＸ無線通信ネットワーク（ＷｉＭＡＸ＝Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）またはＩＥＥＥ  ８０２．１１標準規格ファミリに基づくＷＬＡＮ（ＷＬＡＮ＝無線ローカル・エリア・ネットワーク）とすることができる。
【００２８】
無線アクセス・ネットワークＲＡＮは、例示的に、４つの基地局ＢＳ１、ＢＳ２、ＢＳ３、およびＢＳ４を含む。用語「基地局」は、無線基地局、Ｎｏｄｅ  Ｂ、ｅｎｈａｎｃｅｄ  Ｎｏｄｅ  Ｂ、アクセス・ポイントなどと同義と考えられ、かつ／またはそのように称する場合があり、１つまたは複数の無線リンクを介する無線接続性を１つまたは複数の移動局に提供する機器を記述することができる。
【００２９】
無線アクセス・ネットワークＲＡＮは、さらに、２つのネットワーク・サーバＮＳ１およびＮＳ２を含むことができる。用語「ネットワーク・サーバ」は、４つの基地局ＢＳ１からＢＳ４にさまざまな共有リソースを提供する任意のコンピュータと同義と考えられ、かつ／またはそのように称する場合があり、無線通信システムＲＣＳのコア・ネットワークのネットワーク・ノードに対するものとすることもできる。共有リソースは、ディスク空間、ハードウェア・アクセス、およびソフトウェア・リソースを含むことができる。
【００３０】
第１ネットワーク・サーバＮＳ１は、第１の事前定義のエリアＡＲＥＡ１を制御することができ、第１の事前定義のエリアＡＲＥＡ１は、第１基地局ＢＳ１、第２基地局ＢＳ２、および第３基地局ＢＳ３を含み、第２ネットワーク・サーバＮＳ２は、第２の事前定義のエリアＡＲＥＡ２を制御することができ、第２の事前定義のエリアＡＲＥＡ２は、第４基地局ＢＳ４を含む。
【００３１】
代替案では、第１ネットワーク・サーバＮＳ１および第２ネットワーク・サーバＮＳ２は、無線通信システムＲＣＳのコア・ネットワークの一部とすることができる。
【００３２】
たとえば単純化のために図１に示されていない運用保守センタ（ｏｐｅｒａｔｉｏｎ  ａｎｄ  ｍａｉｎｔｅｎａｎｃｅ  ｃｅｎｔｒｅ）によって、基地局ＢＳ１からＢＳ３を、第１の事前定義のエリアＡＲＥＡ１に割り当てることができ、第４基地局ＢＳ４を、第２の事前定義のエリアＡＲＥＡ２に割り当てることができる。
【００３３】
さらなる代替案では、後で説明する第１ネットワーク・サーバＮＳ１の機能性を、第１の事前定義のエリアＡＲＥＡ１の基地局ＢＳ１、ＢＳ２、またはＢＳ３のうちの１つによって提供することができ、第２ネットワーク・サーバＮＳ２の機能性を、第２の事前定義のエリアＡＲＥＡ２の第４基地局ＢＳ４によって提供することができる。
【００３４】
さらなる代替案によれば、無線アクセス・ネットワークＲＡＮは、単一の事前定義のエリアだけを含むことができ、これは、事前定義のエリアが、無線アクセス・ネットワークＲＡＮによってカバーされる全体的なエリアに対して同一とすることができることを意味する。
【００３５】
ネットワーク接続Ｌ１、Ｌ２、Ｌ３、Ｌ４、Ｌ５、Ｌ６、およびＬ７は、基地局ＢＳ１からＢＳ４とネットワーク・サーバＮＳ１およびＮＳ２とを接続することができる。
【００３６】
基地局ＢＳ１からＢＳ４の間のネットワーク接続Ｌ１、Ｌ２、Ｌ３、およびＬ４は、たとえば、３ＧＰＰ  ＬＴＥで使用されるものなどのＸ２インターフェースに基づくものとすることができる。
【００３７】
さらなる事前定義のエリア、さらなる基地局、さらなるネットワーク・サーバ、さらなる基地局とさらなるネットワーク・サーバとを接続するさらなるネットワーク接続、および無線アクセス・ネットワークＲＡＮと無線通信システムＲＣＳのコア・ネットワークとの間のネットワーク接続は、単純化のために図示されていない。
【００３８】
第１基地局ＢＳ１は、たとえば３つの無線セルＢＳ１−Ｃ１、ＢＳ１−Ｃ２、およびＢＳ１−Ｃ３の無線カバレージを提供することができる。第２基地局ＢＳ２は、たとえば２つの無線セルＢＳ２−Ｃ１およびＢＳ２−Ｃ２の無線カバレージを提供することができる。第３基地局ＢＳ３は、たとえば２つの無線セルＢＳ３−Ｃ１およびＢＳ３−Ｃ２の無線カバレージを提供することができる。第４基地局ＢＳ４は、単一の無線セルＢＳ４−Ｃの無線カバレージを提供することができる。用語「無線セル」は、セル、無線セクタ、セクタなどと同義と考えられ、かつ／またはそのように称する場合がある。
【００３９】
第１移動局ＭＳ１および第２移動局ＭＳ２を、第１基地局ＢＳ１の第１無線セルＢＳ１−Ｃ１と第３基地局ＢＳ３の第１無線セルＢＳ３−Ｃ１とのオーバーラップ領域内に配置することができる。さらなる移動局は、単純化のために図示されていない。
【００４０】
用語「移動局」は、モバイル・ユニット、モバイル・ユーザ、アクセス端末、ユーザ機器、加入者、ユーザ、リモート・ステーションなどと同義と考えられ、かつ／または以下で時々そのように称する場合がある。移動局ＲＡＮ１−ＭＳは、たとえば、セル電話機、ポータブル・コンピュータ、ポケット・コンピュータ、ハンドヘルド・コンピュータ、携帯情報端末、または車載モバイル・デバイスとすることができる。
【００４１】
無線通信システムＲＣＳ内のシングルポイント・トゥー・シングルポイント送信とｃｏｏｐｅｒａｔｉｖｅ  ｍｕｌｔｉｐｏｉｎｔ送信および／またはｃｏｏｐｅｒａｔｉｖｅ  ｍｕｌｔｉｐｏｉｎｔ受信との調整は、たとえば、１つもしくは複数のｃｏｏｐｅｒａｔｉｖｅ  ｍｕｌｔｉｐｏｉｎｔ送信および／または１つもしくは複数のｃｏｏｐｅｒａｔｉｖｅ  ｍｕｌｔｉｐｏｉｎｔ受信に関する１つまたは複数の第１無線リソースの事前定義の予約と、１つまたは複数のシングルポイント・トゥー・シングルポイント送信に関する１つまたは複数の第２無線リソースの事前定義の予約とを含むことができる。
【００４２】
シングルポイント・トゥー・シングルポイント送信の調整ならびにｃｏｏｐｅｒａｔｉｖｅ  ｍｕｌｔｉｐｏｉｎｔ送信および／またはｃｏｏｐｅｒａｔｉｖｅ  ｍｕｌｔｉｐｏｉｎｔ受信の調整は、さらに、１つまたは複数のｃｏｏｐｅｒａｔｉｖｅ  ｍｕｌｔｉｐｏｉｎｔ送信および／またはｃｏｏｐｅｒａｔｉｖｅ  ｍｕｌｔｉｐｏｉｎｔ受信に関する１つまたは複数の第１電力制御パラメータの事前定義と、１つまたは複数のシングルポイント・トゥー・シングルポイント送信に関する１つまたは複数の第２電力制御パラメータのさらなる事前定義とを含むことができる。
【００４３】
第１基地局ＢＳ１は、状況情報を第１ネットワーク・サーバＮＳ１に送信することができる。この状況情報は、データ・トラフィック関連情報および／または移動局関連情報および／または基地局関連情報を含むことができる。同様に、基地局ＢＳ２およびＢＳ３は、状況情報を第１ネットワーク・サーバＮＳ１に送信することができ、第４基地局ＢＳ４は、状況情報を第２ネットワーク・サーバＮＳ２に送信することができる。データ・トラフィック関連情報、移動局関連情報、および基地局関連情報は、後でより詳細に説明する。
【００４４】
第１ネットワーク・サーバＮＳ１は、基地局ＢＳ１からＢＳ３から受信した状況情報を分析することができ、第１協力エリアＣＡ１での１つまたは複数のｃｏｏｐｅｒａｔｉｖｅ  ｍｕｌｔｉｐｏｉｎｔ送信および／またはｃｏｏｐｅｒａｔｉｖｅ  ｍｕｌｔｉｐｏｉｎｔ受信のために無線通信システムＲＣＳの無線チャネルＲＣの１つまたは複数の第１無線リソースを予約することができ、無線セルＢＳ３−Ｃ１から第１移動局ＭＳ１への送信または第２移動局ＭＳ２から無線セルＢＳ１−Ｃ１へのさらなる送信など、第１協力エリアＣＡ１内の１つまたは複数のシングルポイント・トゥー・シングルポイント送信のために無線チャネルＲＣの１つまたは複数の第２無線リソースを予約することができる。第１協力エリアＣＡ１は、図１に示されたものなど、第１基地局ＢＳ１の第１無線セルＢＳ１−Ｃ１と第３基地局ＢＳ３の第１無線セルＢＳ３−Ｃ１とを含むことができる。無線チャネルＲＣは、たとえば、無線アクセス・ネットワークＲＡＮの基地局ＢＳ１およびＢＳ３に向かう移動局ＭＳ１およびＭＳ２からのアップリンク・チャネルとすることができる。さらなる代替案では、無線チャネルＲＣは、移動局ＭＳ１およびＭＳ２に向かう基地局ＢＳ１およびＢＳ２からのダウンリンク・チャネルとすることができる。
【００４５】
第１協力エリアＣＡ１は、１つまたは複数の協力セット（ｃｏｏｐｅｒａｔｉｏｎ  ｓｅｔ）を含むことができる。協力セットは、ＣｏＭＰクラスタとも呼ばれ、無線通信システムＲＣＳのアンテナ・システムのグループを含み、このアンテナ・システムのグループは、１つまたは複数の移動局へのダウリンク・データの協力送信または合同送信、あるいは１つまたは複数の移動局からのアップリンク・データの協力受信または合同受信のために協力する。無線セルＢＳ１−Ｃ１およびＢＳ３−Ｃ１は、たとえば、第１協力エリアＣＡ１の第１ＣｏＭＰクラスタとすることができ、無線セルＢＳ１−Ｃ１およびＢＳ１−Ｃ２は、第１協力エリアＣＡ１の第２ＣｏＭＰクラスタとすることができる。
【００４６】
第１ネットワーク・サーバＮＳ１は、予約された１つまたは複数の第１無線リソースおよび予約された１つまたは複数の第２無線リソースの無線リソース情報を、第１協力エリアＣＡ１の第１基地局ＢＳ１および第３基地局ＢＳ３に送信することができる。
【００４７】
第２協力エリアＣＡ２は、図１に示されたものなど、第２基地局ＢＳ２の第１無線セルＢＳ２−Ｃ１および第２無線セルＢＳ２−Ｃ２を含むことができる。無線アクセス・ネットワークＲＡＮのさらなる協力エリアは、単純化のために図示されていない。
【００４８】
第１ネットワーク・サーバＮＳ１は、たとえば、第１協力エリアＣＡ１内と第２協力エリアＣＡ２内との移動局の負荷状況および分布に依存して、第１協力エリアＣＡ１と第２協力エリアＣＡ２とに関する同一のまたは異なる第１無線リソースおよび第２無線リソースを判定することができる。
【００４９】
無線通信システムＲＣＳでのシングルポイント・トゥー・シングルポイント送信ならびにｃｏｏｐｅｒａｔｉｖｅ  ｍｕｌｔｉｐｏｉｎｔ送信および／またはｃｏｏｐｅｒａｔｉｖｅ  ｍｕｌｔｉｐｏｉｎｔ受信の調整によるさまざまな詳細を、図２から４およびそれに対応する説明に関して与える。
【００５０】
図２を参照すると、本発明の実施形態による方法ＭＥＴの流れ図が示されている。方法ＭＥＴを実行するステップの個数は、クリティカルではなく、当業者によって理解されるように、ステップの個数およびステップの順序は、本発明の範囲から逸脱せずに変更することができる。
【００５１】
たとえば、ステップＭ１／１およびＭ１／２を、ステップＭ１／１１およびステップＭ１／３と時間的に並列に実行することができ、ステップＭ１／４を、ステップＭ１／１２およびＭ１／１３と時間的に並列に実行することができる。
【００５２】
方法ＭＥＴは、移動局ＭＳ１、ＭＳ２のうちの１つまたは複数から無線通信システムＲＣＳの複数のアンテナ・システムを含むマルチポイント受信器への第１アップリンク送信と、移動局ＭＳ１、ＭＳ２のうちの１つまたは複数のから無線通信システムＲＣＳの単一のアンテナ・システムへの第２アップリンク送信との調整について、次で例示的に説明される。当業者によって理解されるように、類似する方法を、移動局ＭＳ１、ＭＳ２のうちの１つまたは複数への無線通信システムＲＣＳの複数のアンテナ・システムからの第１ダウンリンク送信と、１つまたは複数の移動局ＭＳ１、ＭＳ２への無線通信システムＲＣＳの単一のアンテナ・システムからの第２ダウンリンク送信との調整について適用することができる。
【００５３】
流れ図を、ネットワーク・ノードＮＮ、基地局ＢＳ、および移動局ＭＳとの間で示す。
【００５４】
ネットワーク・ノードＮＮは、たとえば、図１に示された第１ネットワーク・サーバＮＳ１または第２ネットワーク・サーバＮＳ２とすることができる。代替案では、ネットワーク・ノードＮＮは、図１に示された基地局ＢＳ１からＢＳ４のいずれかとすることができる。
【００５５】
ネットワーク・ノードＮＮが、ネットワーク・サーバＮＳ１、ＮＳ２のうちの１つである場合に、基地局ＢＳは、基地局ＢＳ１からＢＳ４のうちの１つである。ネットワーク・ノードＮＮが、基地局ＢＳ１からＢＳ４のうちの１つである場合には、基地局ＢＳは、基地局ＢＳ１からＢＳ４のうちの異なる１つである。
【００５６】
移動局ＭＳは、たとえば、図１に示された第１移動局ＭＳ１または第２移動局ＭＳ２とすることができる。
【００５７】
第１ステップＭ１／１では、ネットワーク・サーバＮＳは、１つまたは複数のｃｏｏｐｅｒａｔｉｖｅ  ｍｕｌｔｉｐｏｉｎｔ受信に関する１つまたは複数の第１電力制御パラメータを事前に定義することができる。
【００５８】
移動局ＭＳ１、ＭＳ２が常に伝送帯域幅全体を使用するＵＭＴＳなどの３Ｇ無線通信システムとは異なって、ＬＴＥでは、アップリンク・リソースを、伝送帯域幅全体の分数として割り当てることができる。最小のアップリンク・リソースは、いわゆる物理リソース・ブロックであり、１８０ＫＨｚの帯域幅を有する。したがって、３ＧＰＰ  ＬＴＥなどのＯＦＤＭ無線通信システムでは、移動局の絶対電力を制御するのではなく、移動局のＰＳＤ（ＰＳＤ＝電力スペクトル密度）を制御することが、より適切である。移動局の送信ＰＳＤを、たとえば３ＧＰＰ  ＬＴＥの場合に、物理リソース・ブロックあたりの送信電力として定義することができる。
【００５９】
３ＧＰＰ  ＬＴＥまたは３ＧＰＰ  ＬＴＥ  Ａｄｖａｎｃｅｄで定義されたＰＵＳＣＨ（ＰＵＳＣＨ＝ｐｈｙｓｉｃａｌ  ｕｐｌｉｎｋ  ｓｈａｒｅｄ  ｃｈａｎｎｅｌ）などのアップリンク・チャネルを介するアップリンク送信に関する移動局ＭＳ１、ＭＳ２の送信電力は、次式によって記述されるように、移動局に同時に割り当てられる物理リソース・ブロックの関数として変化する。
ＰＰＵＳＣＨ，ｃ（ｉ）＝Ｎ・ＰＰＵＳＣＨ，ｃ，ＰＲＢ（ｉ）    （１）
ここで、
・ＰＰＵＳＣＨ，ｃ（ｉ）：サービング・セルｃに関するサブフレームｉでの移動局の送信電力、
・Ｎ：同時に割り当てられる物理リソース・ブロックの個数、
・ＰＰＵＳＣＨ，ｃ，ＰＲＢ（ｉ）：物理リソース・ブロックあたりのサービング・セルｃに関するサブフレームｉでの移動局の送信電力。
【００６０】
移動局ＭＳ１またはＭＳ２の送信電力を、たとえば、標準規格文書３ＧＰＰ  ＴＳ  ３６．２１３  Ｖ１０．２．０，  ｓｅｃｔｉｏｎ  ５．１．１の第９ページで与えられる式に基づく次式によって計算することができる。
【数１】
2014529961.tif 000003
ここで、
・ＰＣＭＡＸ，ｃ（ｉ）：サービング・セルｃに関するサブフレームｉでの移動局の構成された最大送信電力、たとえば２３ｄＢｍ、
・ＭＰＵＳＣＨ，ｃ（ｉ）：サブフレームｉおよびサービング・セルｃに関して有効な物理リソース・ブロックの個数で表されたＰＵＳＣＨリソース割当の帯域幅、
・ＰＯ＿ＰＵＳＣＨ，ｃ（ｊ）は、サービング・セルｃに関して、ｊ＝０および１に関するより上の層から提供されるコンポーネントＰＯ＿ＮＯＭＩＮＡＬ＿ＰＵＳＣＨ，ｃ（ｊ）とｊ＝０および１に関してより上の層から提供されるコンポーネントＰＯ＿ＵＥ＿ＰＵＳＣＨ，ｃ（ｊ）との合計からなるパラメータであり（詳細に関しては３ＧＰＰ  ＴＳ  ３６．２１３  Ｖ１０．２．０，  ｓｅｃｔｉｏｎ  ５．１．１．１を参照されたい）、パラメータｊは、アップリンク送信の異なるタイプすなわち半持続的（たとえば、ＶｏＩＰに関する）および動的にスケジューリングされるリソースとランダム・アクセス・リソースとの間での区別を可能にし、
・αｃは、サービング・セルｃに関してより上の層によって提供される３ビット・パラメータとすることができ、
・ＰＬｃは、ｄＢ単位のサービング・セルｃに関して移動局ＭＳ１またはＭＳ２で計算されるダウンリンク経路損推定値であり（詳細に関しては３ＧＰＰ  ＴＳ  ３６．２１４  Ｖ１０．１．０，  ｓｅｃｔｉｏｎ  ５．１．１．１を参照されたい）、
・ＫＳ＝１．２５について
【数２】
2014529961.tif 000004
、ＫＳ＝０について０であり、ここで、ＫＳは、サービング・セルｃごとにより上の層によって提供されるパラメータｄｅｌｔａＭＣＳ−Ｅｎａｂｌｅｄによって与えられ、送信モード２についてＫＳ＝０であり（ＢＰＲＥおよび
【数３】
2014529961.tif 000005
の詳細に関しては、３ＧＰＰ  ＴＳ  ３６．２１３  Ｖ１０．２．０，  ｓｅｃｔｉｏｎ  ５．１．１．１を参照されたい）、
・ｆｃ（ｉ）：サービング・セルｃに関する現在のＰＵＳＣＨ電力制御調整状態（詳細に関しては、３ＧＰＰ  ＴＳ  ３６．２１３  Ｖ１０．２．０，  ｓｅｃｔｉｏｎ  ５．１．１．１を参照されたい）。
【００６１】
たとえば１５ｄＢなどの第１のＩｏＴ値を、アップリンクＣｏＭＰモードについて事前に定義することができ、たとえば５ｄＢなどの第２のＩｏＴ値を、１つまたは複数のアップリンク・シングルポイント・トゥー・シングルポイント送信について事前に定義することができる。第１のＩｏＴ値および第２のＩｏＴ値を、ネットワーク・サーバＮＳによって事前に定義することができる。第１の事前定義のＩｏＴ値および第２の事前定義のＩｏＴ値の満足を、第１協力エリアＣＡ１の第１基地局ＢＳ１および第３基地局ＢＳ３で測定を実行することと、事前定義の平均化時間にわたって測定値の平均をとることとによって周期的にチェックすることができる。
【００６２】
第１のＰＯ＿ＰＵＳＣＨ，ｃ（ｊ）パラメータを、アップリンクＣｏＭＰモードの単一の第１電力制御パラメータとして事前に定義することができ、事前定義の平均化時間にわたってアップリンクＣｏＭＰモードに関する第１の事前定義のＩｏＴ値を保つために反復して適合させることができる。同様に、第２のＰＯ＿ＰＵＳＣＨ，ｃ（ｊ）パラメータを、１つまたは複数のアップリンク・シングルポイント・トゥー・シングルポイント送信の単一の第２電力制御パラメータとして事前に定義することができ、事前定義の平均化時間にわたって１つまたは複数のアップリンク・シングルポイント・トゥー・シングルポイント送信に関する第２の事前定義のＩｏＴ値を保つために反復して適合させることができる。
【００６３】
たとえば、無線セルＢＳ３−Ｃ１などの特定の無線セル内で事前定義の時間（たとえば、事前定義の平均化時間）にわたって第１の事前定義のＩｏＴ値を超える場合には、過負荷インジケータを、第３基地局ＢＳ３から第１基地局ＢＳ１に送信することができる。過負荷インジケータの受信は、さらなる過負荷インジケータが第３基地局ＢＳ３から受信されなくなるまで、第１の事前定義のＰＯ＿ＰＵＳＣＨ，ｃ（ｊ）パラメータを反復して減らすように第１基地局ＢＳ１をトリガする。
【００６４】
さらなる代替案では、ＰＯ＿ＰＵＳＣＨ，ｃ（ｊ）パラメータおよび／または３ビット・パラメータαｃおよび／またはパラメータｄｅｌｔａＭＣＳ−Ｅｎａｂｌｅｄおよび／またはより上の層によってフィルタリングされたＲＳＲＰを構成するためのパラメータｐａｔｈｌｏｓｓＲｅｆｅｒｅｎｃｅＬｉｎｋｉｎｇおよび／または３ＧＰＰ  ＴＳ  ３６．２１３  Ｖ１０．２．０，  ｓｅｃｔｉｏｎ  ５．１．１．１で定義されたものなどの蓄積（ａｃｃｕｍｕｌａｔｉｏｎ）を使用可能にするためのパラメータＡｃｃｕｍｕｌａｔｉｏｎ−ｅｎａｂｌｅｄなどの第１電力制御パラメータのセットを、アップリンクＣｏＭＰモードに関してネットワーク・サーバＮＳによって事前に定義することができる。
【００６５】
さらなる代替案では、単一の第１電力制御パラメータまたは第１電力制御パラメータのセットを、第１の事前定義のエリアＡＲＥＡ１に関して基地局ＢＳ１からＢＳ３のうちの１つによって、および第２の事前定義のエリアＡＲＥＡ２に関して第４基地局ＢＳ４によって、事前に定義することができる。
【００６６】
同様に、さらなるステップＭ１／２では、第１の事前定義のエリアＡＲＥＡ１に関して第１ネットワーク・サーバＮＳ１または基地局ＢＳ１からＢＳ３のうちの１つと、第２の事前定義のエリアＡＲＥＡ２に関して第２ネットワーク・サーバＮＳ２または第４基地局ＢＳ４とが、１つまたは複数のシングルポイント・トゥー・シングルポイント送信に関して１つまたは複数の第２電力制御パラメータを事前に定義することができる。したがって、同一の式（２）を適用することができ、第２電力制御パラメータを、ＰＯ＿ＰＵＳＣＨ，ｃ（ｊ）パラメータとすることもできる。
【００６７】
式（２）の代替案として、Ａｎｉｌ  Ｍ．Ｒａｏ、「Ｒｅｖｅｒｓｅ  Ｌｉｎｋ  Ｐｏｗｅｒ  Ｃｏｎｔｒｏｌ  ｆｏｒ  Ｍａｎａｇｉｎｇ  Ｉｎｔｅｒ−Ｃｅｌｌ  Ｉｎｔｅｒｆｅｒｅｎｃｅ  ｉｎ  Ｏｒｔｈｏｇｏｎａｌ  Ｍｕｌｔｉｐｌｅ  Ａｃｃｅｓｓ  Ｓｙｓｔｅｍｓ」、Ｖｅｈｉｃｕｌａｒ  Ｔｅｃｈｎｏｌｏｇｙ  Ｃｏｎｆｅｒｅｎｃｅ、２００７、ＶＴＣ−２００７  Ｆａｌｌ、２００７  ＩＥＥＥ  ６６ｔｈの次式（式（１）を参照されたい）を、移動局ＭＳ１およびＭＳ２の送信電力を計算するために移動局ＭＳ１およびＭＳ２によって適用することができる。
ＰＰＵＳＣＨ，ｃ（ｉ）＝ｍｉｎ（ＰＣＭＡＸ，ｃ（ｉ），Φ＋Ｉｓｅｒｖｉｎｇ＋ＰＬｃ）［ｄＢｍ］    （３）
ここで、
・Φ：ターゲットＳＩＮＲ（ＳＩＮＲ＝信号対干渉雑音比）、
・Ｉｓｅｒｖｉｎｇ：ブロードキャスト平均逆方向リンク干渉ＰＳＤ。
【００６８】
その場合に、単一の第１電力制御パラメータを、たとえば、ＣｏＭＰアップリンク・モードに関するＩｓｅｒｖｉｎｇパラメータとすることができ、これを、事前に定義された平均化時間にわたってアップリンクＣｏＭＰモードの第１の事前に定義されたＩｏＴ値を保つために反復して適合させることができ、単一の第２電力制御パラメータを、たとえば、１つまたは複数のシングルポイント・トゥー・シングルポイント送信に関するＩｓｅｒｖｉｎｇパラメータとすることもでき、これを、事前に定義された平均化時間にわたって１つまたは複数のアップリンク・シングルポイント・トゥー・シングルポイント送信の第２の事前に定義されたＩｏＴ値を保つために反復して適合させることができる。
【００６９】
さらなる代替案によれば、無線通信システムＲＣＳの運用保守センタは、第１の事前定義のエリアＡＲＥＡ１および第２の事前定義のエリアＡＲＥＡ２に関して１つまたは複数の第１電力制御パラメータおよび１つまたは複数の第２電力制御パラメータを事前に定義することができる。
【００７０】
次のステップＭ１／３では、ネットワーク・サーバＮＳは、１つまたは複数の事前定義の第１電力制御パラメータＰＣＰ１および１つまたは複数の事前定義の第２電力制御パラメータＰＣＰ２を、事前定義のエリアＡＲＥＡ１、ＡＲＥＡ２内に配置されるものとすることができる基地局ＢＳに送信することができる。基地局ＢＳは、さらなるステップＭ１／４で、１つまたは複数の事前定義の第１電力制御パラメータＰＣＰ１および１つまたは複数の事前定義の第２電力制御パラメータＰＣＰ２を受信することができる。
【００７１】
代替案では、ネットワーク・サーバＮＳは、アップリンクＣｏＭＰモードでの送信に関する電力制御パラメータとして１つまたは複数の事前定義の第１電力制御パラメータを示す第１指示ＩＮＤ１をさらに送信することができ、アップリンク・シングルポイント・トゥー・シングルポイント送信に関する電力制御パラメータとして１つまたは複数の事前定義の第２電力制御パラメータを示す第２指示ＩＮＤ２をさらに送信することができる。
【００７２】
ステップＭ１／１からＭ１／４までは、無線通信システムＲＣＳがインストールされようとしている場合には自己構成アルゴリズムによって、または、無線通信システムＲＣＳのネットワーク性能が最適化されようとしている場合には自己最適化アルゴリズムによって、実行することができる。
【００７３】
さらなるステップＭ１／５では、基地局ＢＳは、専用送信によって、移動局ＭＳに１つまたは複数の事前定義の第１電力制御パラメータＰＣＰ１および１つまたは複数の事前定義の第２電力制御パラメータＰＣＰ２を送信する。
【００７４】
代替案では、基地局は、第１指示ＩＮＤ１および第２指示ＩＮＤ２を移動局ＭＳにさらに送信することができる。
【００７５】
移動局ＭＳは、次のステップＭ１／６で、１つまたは複数の事前定義の第１電力制御パラメータＰＣＰ１および１つまたは複数の事前定義の第２電力制御パラメータＰＣＰ２を受信することができる。
【００７６】
代替案では、基地局ＢＳは、複数の移動局ＭＳ１およびＭＳ２へのブロードキャストで、移動局ＭＳに１つまたは複数の事前定義の第１電力制御パラメータＰＣＰ１および１つまたは複数の事前定義の第２電力制御パラメータＰＣＰ２を送信する。
【００７７】
好ましくは、ＰＯ＿ＰＵＳＣＨ，ｃ（ｊ）パラメータなどの事前定義の少なくとも１つの第１電力制御パラメータまたは事前定義の少なくとも１つの第２電力制御パラメータは、絶対値として送信され、相補的送信モードの対応するパラメータは、たとえば次式を使用することによって絶対値に関する差値ΔＰ０として送信され得る。
ΔＰ０＝ＰＯ＿ＰＵＳＣＨ，ｃ，ＣｏＭＰ（ｊ）−Ｐ０＿ＰＵＳＣＨ，ｃ，Ｎｏｎ−ＣｏＭＰ（ｊ）    （４）
ここで、
・Ｐ０＿ＰＵＳＣＨ，ｃ，ＣｏＭＰ（ｊ）：アップリンクＣｏＭＰモードでの送信に関するパラメータＰ０＿ＰＵＳＣＨ，ｃ（ｊ）の値、
・Ｐ０＿ＰＵＳＣＨ，ｃ，Ｎｏｎ−ＣｏＭＰ（ｊ）：アップリンク・シングルポイント・トゥー・シングルポイント送信に関するパラメータＰ０＿ＰＵＳＣＨ，ｃ（ｊ）の値。
【００７８】
さらなるステップＭ１／７では、移動局ＭＳは、事前定義のエリアＡＲＥＡ１、ＡＲＥＡ２のうちの１つ内での後のアップリンク送信のために、１つまたは複数の事前定義の第１電力制御パラメータＰＣＰ１および１つまたは複数の事前定義の第２電力制御パラメータＰＣＰ２をメモリに格納する。ステップＭ１／５からＭ１／７は、新しい移動局が事前定義のエリアＡＲＥＡ１、ＡＲＥＡ２に入る場合に実行され得る。
【００７９】
次のステップＭ１／８では、基地局ＢＳは、ネットワーク・サーバＮＳに状況情報ＩＮＦＯ−ＲＵを送信することができ、ネットワーク・サーバＮＳは、さらなるステップＭ１／９で状況情報ＩＮＦＯ−ＲＵを受信する。ステップＭ１／８は、たとえば数分または数時間の時間期間を伴って周期的に実行され得、あるいは、基地局ＢＳによって制御されまたは観察されるパラメータが事前定義の限度以上に変化した場合に、実行され得る。
【００８０】
状況情報は、データ・トラフィック関連情報および／または移動局関連情報および／または基地局関連情報を含むことができる。
【００８１】
データ・トラフィック関連情報は、たとえば、ＭビットもしくはＧビット単位の第１データ値またはｋビット／ｓもしくはＭビット／ｓ単位の第１データ・レートなど、基地局ＢＳによってサービスされる移動局で保留中のデータ・トラフィックの量を含むことができる。
【００８２】
その代わりにまたはそれに加えて、データ・トラフィック関連情報は、どの移動局が、保留中のデータ・トラフィックに関してＦＴＰ（ＦＴＰ＝ファイル転送プロトコル）、ＶｏＩＰ（ＶｏＩＰ＝Ｖｏｉｃｅ  ｏｖｅｒ  Ｉｎｔｅｒｎｅｔ  Ｐｒｏｔｏｃｏｌ）、またはビデオ・アップロードなど、どのサービス・タイプまたはＱｏＳクラス（ＱｏＳ＝サービス品質）を適用しまたは適用することを望むのかを受信器に知らせるＱＣＩ（ＱＣＩ＝ＱｏＳ  ｃｌａｓｓ  ｉｎｄｉｃａｔｏｒ）などの情報を含むことができる。
【００８３】
移動局関連情報は、たとえば次の周知の式を使用することによってたとえばドップラ・シフト（ドップラ拡散とも称する）を介して基地局ＢＳで判定できる移動局ＭＳの速度の情報を含むことができる。
【数４】
2014529961.tif 000006
ここで
・ｖｒｅｌ：基地局ＢＳと移動局ＭＳとの間の相対速度、
・Δｆ：移動局ＭＳによって送信されたアップリンク信号に関して基地局ＢＳで測定された周波数シフト、
・ｆ０：移動局ＭＳによって送信されたアップリンク信号の周波数、
・ｃ：送信されたアップリンク信号の伝搬速度。
【００８４】
代替案として、移動局ＭＳの速度を、たとえばＧＰＳ受信器（ＧＰＳ＝全地球測位システム）を用いて移動局ＭＳで測定することができ、速度の情報を、移動局ＭＳから基地局ＢＳに送信することができる。速度の情報を、絶対値でまたはたとえば低速、中速、もしくは高速に関する３つの指示のいずれかによって提供することができる。低速範囲は、たとえば、０から１０ｋｍ／ｈまでの速度によって与えることができ、中速範囲は、たとえば１０ｋｍ／ｈから６０ｋｍ／ｈまでの速度によって与えることができ、高速範囲は、たとえば６０ｋｍ／ｈを超える速度について与えることができる。
【００８５】
その代わりにまたはそれに加えて、移動局関連情報は、さらに、移動局ＭＳの電力ヘッドルームの情報を含むことができる。電力ヘッドルームは、たとえば、次式によって計算することができる。
ＰＨｃ（ｉ）＝ＰＣＭＡＸ，ｃ（ｉ）−（Ｐ０＿ＰＵＳＣＨ，ｃ（ｊ）＋αｃ（ｊ）・ＰＬｃ＋１０ｌｏｇ１０（ＭＰＵＳＣＨ，ｃ（ｉ）＋ΔＴＦ，ｃ（ｉ）＋ｆｃ（ｉ））    （６）
ここで
・ＰＨｃ（ｉ）：移動局の電力ヘッドルーム。
【００８６】
電力ヘッドルームは、構成された最大電力ＰＣＭＡＸ，ｃ（ｉ）と実際のアップリンク送信電力との間の差の測定値とすることができる。好ましくは、電力ヘッドルームは、構成された最大送信電力ＰＣＭＡＸ，ｃ（ｉ）と、移動局ＭＳがその構成された最大送信電力ＰＣＭＡＸ，ｃ（ｉ）によって制限されなかったと仮定して使用されたはずのアップリンク送信電力との間の差の測定値とすることができる。
【００８７】
その代わりにまたはそれに加えて、移動局関連情報は、基地局ＢＳ１からＢＳ３で受信された移動局ＭＳ１、ＭＳ２のアップリンク信号のＳＩＮＲの情報をさらに含むことができる。
【００８８】
基地局関連情報は、アップリンクＣｏＭＰモードでの送信のさらなるアップリンク・データを処理するための基地局ＢＳでの残りの処理能力の情報を含むことができる。そのような情報を、たとえば、Ｍビット／ｓ単位での第２データ・レートによって提供することができる。
【００８９】
その代わりにまたはそれに加えて、基地局関連情報は、隣接する基地局への基地局ＢＳの１つまたは複数のバックホール・インターフェース上のトラフィック容量の情報をさらに含むことができる。そのような情報を、たとえば、それぞれのバックホール・インターフェースに関するＧビット／ｓ単位の１つまたは複数の第３データ・レートによって提供することができる。第３基地局ＢＳ３は、たとえば、第１基地局ＢＳ１に向かうそのバックホール・インターフェースに関する１つの第３データ・レートを送信することができ、第２基地局ＢＳ２に向かうそのバックホール・インターフェースに関するもう１つの第３データ・レートを送信することができる（図１を参照されたい）。
【００９０】
その代わりにまたはそれに加えて、基地局関連情報は、１つまたは複数の第１無線リソースの第１サイズと１つまたは複数の第２無線リソースの第２サイズとの比が変更される場合の、基地局ＢＳでの予測される性能利益の情報をさらに含むことができる。基地局ＢＳでの予測される性能利益は、たとえばＭビット／ｓ単位での絶対値として与えることができる。予測される性能利益の情報は、予測される性能利益の値と、予測された性能利益を提供する第１サイズの値および／または予測された性能利益を提供する第２サイズの値とを含むことができる。
【００９１】
その代わりにまたはそれに加えて、基地局関連情報は、基地局ＢＳの１つまたは複数の第１無線リソースおよび／または１つまたは複数の第２無線リソースの現在の容量利用の情報をさらに含むことができる。現在の容量利用の情報を、たとえば、パーセンテージ値によって提供することができる。
【００９２】
さらなるステップＭ１／１０では、第１ネットワーク・サーバＮＳ１などのネットワーク・サーバＮＳが、無線セルＢＳ１−Ｃ１−ＢＳ１−Ｃ２、ＢＳ１−Ｃ３、ＢＳ２−Ｃ１、ＢＳ２−Ｃ２、ＢＳ３−Ｃ１、およびＢＳ３−Ｃ２のどれをグループ化して、１つまたは複数のＣｏＭＰクラスタを含む協力エリアを形成できるのかを判定する。無線セルの選択は、たとえば、次のアルゴリズムに基づくものとすることができる。
【００９３】
第１サブステップでは、ＱＣＩを使用して、無線セルＢＳ１−Ｃ１、ＢＳ１−Ｃ２、ＢＳ１−Ｃ３、ＢＳ２−Ｃ１、ＢＳ２−Ｃ２、ＢＳ３−Ｃ１、およびＢＳ３−Ｃ２のそれぞれについて、移動局ＭＳ１、ＭＳ２を潜在的なＣｏＭＰユーザおよび潜在的な非ＣｏＭＰユーザに分類する。非ＣｏＭＰユーザは、シングルポイント・トゥー・シングルポイント送信だけを適用する移動局である。
【００９４】
ＱＣＩが、たとえば、ＶｏＩＰまたはゲームなど、短待ち時間要件または低データ・レートを有するサービスを示す場合には、これらのサービスを使用する移動局は、潜在的な非ＣｏＭＰユーザとして分類され、潜在的な非ＣｏＭＰユーザのユーザ・リストに割り当てられる。ＱＣＩが、たとえば、ビデオ・ダウンロードまたはウェブ・ブラウジングなどの非短待ち時間要件または高データ・レートを有するさらなるサービスを示す場合には、これらのさらなるサービスを使用するさらなる移動局は、潜在的なＣｏＭＰユーザとして分類され、潜在的なＣｏＭＰユーザのさらなるユーザ・リストに割り当てられる。
【００９５】
第２サブステップでは、６０ｋｍ／ｈなどの事前定義の速度しきい値を超える速度を有する第１の潜在的なＣｏＭＰユーザを、好ましくは、潜在的なＣｏＭＰユーザのリストから除外することができる。
【００９６】
第３サブステップでは、５００ｋｂｉｔなどの事前定義のデータしきい値未満の保留中のデータ・トラフィックを有する第２の潜在的なＣｏＭＰユーザをも、好ましくは、潜在的なＣｏＭＰユーザのリストから除外することができる。
【００９７】
第４サブステップでは、２０ｄＢなどの事前定義のＳＩＮＲしきい値を超えるＳＩＮＲを有する第３の潜在的なＣｏＭＰユーザをも、好ましくは、潜在的なＣｏＭＰユーザのリストから除外することができる。第４サブステップを破棄することができ、あるいは、事前定義のＳＩＮＲしきい値に、たとえば３ＧＰＰ  ＬＴＥの場合に０．９の符号レートおよび６４ＱＡＭ（ＱＡＭ＝ｑｕａｄｒａｔｕｒｅ  ａｍｐｌｉｔｕｄｅ  ｍｏｄｕｌａｔｉｏｎ、直交振幅変調）について２２ｄｂなどの最高のトランスポート・フォーマットに対応するＳＩＮＲ値をセットすることができる。その場合に、マルチポイント送信器またはマルチポイント受信器を用いる伝送を、無線セルの中央に配置された移動局に提供することもできる。
【００９８】
第５サブステップでは、潜在的なＣｏＭＰユーザのリスト内の移動局の数が、たとえば３つなどの事前定義のしきい値以上であるかどうかをチェックする。事前定義のしきい値が得られる場合には、このアルゴリズムをサブステップ６によって継続することができ、さもなければ、このアルゴリズムを終了する。
【００９９】
第６サブステップでは、無線セルＢＳ１−Ｃ１、ＢＳ１−Ｃ２、ＢＳ１−Ｃ３、ＢＳ２−Ｃ１、ＢＳ２−Ｃ２、ＢＳ３−Ｃ１、およびＢＳ３−Ｃ２のそれぞれに関する、潜在的なＣｏＭＰユーザと潜在的なＣｏＭＰユーザおよび潜在的な非ＣｏＭＰユーザの総量との間のリソース比を、たとえば次式を使用することによって、潜在的なＣｏＭＰユーザの保留中のデータ・トラフィックの情報に基づき、潜在的な非ＣｏＭＰユーザの保留中のデータ・トラフィックの情報に基づいて推定することができる。
【数５】
2014529961.tif 000007
ここで、
・ＲＲｒｃ：インデックスｒｃを有する無線セル内の潜在的なＣｏＭＰ無線リソースおよび非ＣｏＭＰ無線リソースの総量に対する潜在的なＣｏＭＰ無線リソースの比、
・ｋ：インデックスｋを有する移動局、
・ＣＵＬｒｃ：インデックスｒｃを有する無線セルの潜在的なＣｏＭＰユーザのリスト、
・ＰＤＴｋ：インデックスｋを有する移動局の保留中のデータ・トラフィック。
【０１００】
第７サブステップでは、最大のリソース比ＲＲｒｃ，ｍａｘを有する無線セルを識別し、リソース比しきい値ΔＲＲを、たとえば次式を使用することによって事前に定義することができる。
ΔＲＲ＝０．５・ＲＲｒｃ，ｍａｘ    （８）
【０１０１】
事前定義のリソース比しきい値未満のリソース比を有する、最大のリソース比を有する無線セルのすべての隣接する無線セルを、たとえば、協力エリアから除外することができ、事前定義のリソース比しきい値以上のリソース比を有するすべてのさらなる直接または間接に隣接する無線セルを、協力エリアに割り当てるかこれに関して選択することができる。間接に隣接する無線セルは、最大のリソース比する無線セルに対する直接の境界を有しない。好ましくは、最大のリソース比を有する無線セルの隣接する無線セルは、協力エリアが連続するエリアになり、円形または六辺形のエリアになる形で選択される。これによって、隣接する協力エリアに対する境界の長さを制限することができる。
【０１０２】
例示的に、ネットワーク・サーバＮＳは、第１基地局ＢＳ１の第１無線セルＢＳ１−Ｃ１および第３基地局ＢＳ３の第１無線セルＢＳ３−Ｃ１を選択して、第１協力エリアＣＡ１を形成した。
【０１０３】
協力エリアが判定されるや否や、ネットワーク・サーバＮＳは、さらに、たとえば次式を適用することによって、ｃｏｏｐｅｒａｔｉｖｅ  ｍｕｌｔｉｐｏｉｎｔ送信モードおよび／またはアップリンクＣｏＭＰ送信モードの１つまたは複数の第１無線リソースの第１サイズを判定する。
【数６】
2014529961.tif 000008
ここで、
・
【数７】
2014529961.tif 000009
：第１協力エリアＣＡ１内のｃｏｏｐｅｒａｔｉｖｅ  ｍｕｌｔｉｐｏｉｎｔ送信モードに必要な単一のアップリンク・フレームのＰＲＢ（ＰＲＢ＝物理リソース・ブロック）の上に丸められた個数、
・ｎ：第１協力エリアＣＡ１の無線セルの個数、
・ｍ：インデックスｍを有する第１協力エリアＣＡ１の無線セル
・ＲＲｍ：インデックスｍを有する無線セルのリソース比、
・ＮＰＲＢ：単一のアップリンク・フレームのＰＲＢの個数。
【０１０４】
ネットワーク・サーバＮＳは、さらに、たとえば次式を適用することによって、１つまたは複数のアップリンク・シングルポイント・トゥー・シングルポイント送信の１つまたは複数の第２無線リソースの第２サイズを判定する。
【数８】
2014529961.tif 000010
ここで、
・
【数９】
2014529961.tif 000011
：第１協力エリアＣＡ１内のシングルポイント・トゥー・シングルポイント送信に必要な単一のアップリンク・フレームのＰＲＢの個数。
【０１０５】
次のステップＭ１／１１では、ネットワーク・サーバＮＳは、たとえばアップリンクＣｏＭＰ送信モードの無線チャネルＲＣの１つまたは複数の第１無線リソースを第１協力エリアＣＡ１のために予約し、さらに、アップリンク・シングルポイント・トゥー・シングルポイント送信の無線チャネルＲＣの１つまたは複数の第２無線リソースを第１協力エリアＣＡ１のために予約し、分配は、式（９）および（１０）によって計算された第１サイズおよび第２サイズに依存する。
【０１０６】
図３ａ）に、ネットワーク・オペレータに割り当てることができる特定の周波数範囲内でＴＤＭ送信方式（ＴＤＭ＝時分割多重）を適用できる場合のそのような予約の第１の例を示す。図３ａ）は、たとえば１０個のサブフレームＳ１−Ｆ１、Ｓ２−Ｆ１、Ｓ３−Ｆ１、Ｓ４−Ｆ１、Ｓ５−Ｆ１、Ｓ６−Ｆ１、Ｓ７−Ｆ１、Ｓ８−Ｆ１、Ｓ９−Ｆ１、Ｓ１０−Ｆ１に時間的に分割される第１伝送フレームＦ１を示し、また、１０個のさらなるサブフレームからの第１サブフレームＳ１−Ｆ２を有する第２伝送フレームＦ２をも部分的に示す。第１伝送フレームＦ１および第２伝送フレームＦ２の時間の長さは、サブフレームＳ１−Ｆ１からＳ１０−Ｆ１およびＳ１−Ｆ２のそれぞれのたとえば１ｍｓの時間の長さから、たとえば１０ｍｓとすることができる。例示的に、第１伝送フレームＦ１のサブフレームＳ１−Ｆ１、Ｓ２−Ｆ１、Ｓ３−Ｆ１およびサブフレームＳ９−Ｆ１、Ｓ１０−Ｆ１を、アップリンクＣｏＭＰ送信モードのために予約することができ、第１伝送フレームＦ１の中央サブフレームＳ４−Ｆ１、Ｓ５−Ｆ１、Ｓ６−Ｆ１、Ｓ７−Ｆ１、Ｓ８−Ｆ１を、１つまたは複数のアップリンク・シングルポイント・トゥー・シングルポイント送信のために予約することができる。好ましくは、第２伝送フレームＦ２およびさらなる伝送フレームのサブフレームは、事前定義の時間の間またはステップＭ１／１１に基づく新しい無線リソース予約が実行されるまで、アップリンクＣｏＭＰ送信モードおよびシングルポイント・トゥー・シングルポイント送信のために同等に予約される。
【０１０７】
図３ｂ）に、ＩＥＥＥ  ８０２．１６  ＷｉＭａｘで使用されるものなどのＦＤＭ送信方式（ＦＤＭ＝周波数分割多重）がアップリンク・チャネルＲＣについて適用される場合の、そのような予約の第２の例を示す。図３ａ）は、たとえば１０個のサブフレームＳ１−Ｆ１ｂ、Ｓ２−Ｆ１ｂ、Ｓ３−Ｆ１ｂ、Ｓ４−Ｆ１ｂ、Ｓ５−Ｆ１ｂ、Ｓ６−Ｆ１ｂ、Ｓ７−Ｆ１ｂ、Ｓ８−Ｆ１ｂ、Ｓ９−Ｆ１ｂ、Ｓ１０−Ｆ１ｂに時間的に分割される第１伝送フレームＦ１ｂを示し、また、１０個のさらなるサブフレームのグループからの第１サブフレームＳ１−Ｆ２ｂを有する第２伝送フレームＦ２ｂをも部分的に示す。第１伝送フレームＦ１ｂのたとえば２０ＭＨｚの総帯域幅ＴＢ１を、好ましくは第１伝送フレームＦ１ｂの時間の長さ全体にわたって、第１帯域幅ＢＷ１、第２帯域幅ＢＷ２、および第３帯域幅ＢＷ３にスペクトル的に分割することができる。代替案では、総帯域幅ＴＢ１を、たとえば、１．２５ＭＨｚ、３．５ＭＨｚ、５ＭＨｚ、７ＭＨｚ、８．７５ＭＨｚ、または１０ＭＨｚとすることができる。
【０１０８】
例示的に、図３ｂ）に示されたものなどの第１伝送フレームＦ１ｂの第２帯域幅ＢＷ２およびこれによって無線リソース・ユニットＳ１−Ｆ１ｂ−ＢＷ２からＳ２−Ｆ１ｂ−ＢＷ２を、アップリンクＣｏＭＰ送信モードのために予約することができ、第１伝送フレームＦ１ｂの第１帯域幅ＢＷ１および第３帯域幅ＢＷ３ならびにこれによって無線リソース・ユニットＳ１−Ｆ１ｂ−ＢＷ１からＳ２−Ｆ１ｂ−ＢＷ１およびＳ１−Ｆ１ｂ−ＢＷ３からＳ２−Ｆ１ｂ−ＢＷ３を、１つまたは複数のアップリンク・シングルポイント・トゥー・シングルポイント送信のために予約することができる。好ましくは、第２伝送フレームＦ２およびさらなる伝送フレームの帯域幅は、事前定義の時間の間またはステップＭ１／１１に基づく新しい無線リソース予約が実行されるまで、アップリンクＣｏＭＰ送信モードおよびシングルポイント・トゥー・シングルポイント送信のために同等に予約される。
【０１０９】
図３ｃ）に、３ＧＰＰ  ＬＴＥまたは３ＧＰＰ  ＬＴＥ  Ａｄｖａｎｃｅｄで使用されるものなどのＯＦＤＭＡ送信方式（ＯＦＤＭＡ＝直交周波数分割多元接続）がアップリンク・チャネルＲＣについて適用される場合の、そのような予約の第３の例を示す。図３ｃ）は、１０個のサブフレームＳ１−Ｆ１ｃ、Ｓ２−Ｆ１ｃ、Ｓ３−Ｆ１ｃ、Ｓ４−Ｆ１ｃ、Ｓ５−Ｆ１ｃ、Ｓ６−Ｆ１ｃ、Ｓ７−Ｆ１ｃ、Ｓ８−Ｆ１ｃ、Ｓ９−Ｆ１ｃ、Ｓ１０−Ｆ１ｃに時間的に分割される第１伝送フレームＦ１ｃを示し、また、１０個のさらなるサブフレームのグループからの第１サブフレームＳ１−Ｆ２ｃを有する第２伝送フレームＦ２ｃを部分的に示す。第１伝送フレームＦ１ｃおよび第２伝送フレームＦ２ｃの時間の長さは、たとえば、サブフレームＳ１−Ｆ１ｃからＳ１０−Ｆ１ｃおよびＳ１−Ｆ２ｃのそれぞれの１ｍｓの時間の長さから、１０ｍｓとすることができる。第１伝送フレームＦ１ｃの総帯域幅ＴＢ２は、たとえば、ＰＲＢあたり１２個の副搬送波および１５ｋＨｚの副搬送波間隔を有する２５個の隣接するＰＲＢを適用することによって、４，５ＭＨｚとすることができる。総帯域幅ＴＢ２を、好ましくは第１伝送フレームＦ１ｃの時間の長さ全体にわたって、たとえば１．４４ＭＨｚ（８つの隣接するＰＲＢ）の第１帯域幅ＢＷ１ｃ、たとえば２．３４ＭＨｚ（１３個の隣接するＰＲＢ）の第２帯域幅ＢＷ２ｃ、およびたとえば１．０８ＭＨｚ（６個の隣接するＰＲＢ）の第３帯域幅ＢＷ３ｃにスペクトル的に分割することができる。第１帯域幅ＢＷ１ｃは、たとえば、３ＧＰＰ  ＬＴＥで適用されるものなどの、１２個の副搬送波および１５ｋＨｚの副搬送波間隔を有する８つのＰＲＢ（ＰＲＢ＝物理リソース・ブロック）を含むことができる。同様に、第２帯域幅ＢＷ２ｃは、１３個のＰＲＢを含むことができ、第３帯域幅ＢＷ３ｃは、６個のＰＲＢを含むことができる。
【０１１０】
例示的に、第１伝送フレームＦ１ｃの第１帯域幅ＢＷ１ｃの無線リソース・ユニットＳ５−Ｆ１ｃ−ＢＷ１ｃからＳ９−Ｆ１ｃ−ＢＷ１ｃ、第２帯域幅ＢＷ２ｃのさらなる無線リソース・ユニットＳ１−Ｆ１ｃ−ＢＷ２ｃ、Ｓ２−Ｆ１ｃ−ＢＷ２ｃおよびＳ６−Ｆ１ｃ−ＢＷ２ｃからＳ１０−Ｆ１ｃ−ＢＷ２ｃ、ならびに第３帯域幅ＢＷ３ｃのさらなる無線リソース・ユニットＳ１−Ｆ１ｃ−ＢＷ３からＳ３−Ｆ１ｃ−ＢＷ３ｃおよびＳ８−Ｆ１ｃ−ＢＷ３ｃからＳ１０−Ｆ１ｃ−ＢＷ３ｃを、アップリンクＣｏＭＰ送信モードのために予約することができる。第１フレームＦ１ｃの残りのサブフレームを、アップリンク・シングルポイント・トゥー・シングルポイント送信のために予約することができる。好ましくは、第２伝送フレームＦ２およびさらなる伝送フレームの帯域幅およびサブフレームは、事前定義の時間の間またはステップＭ１／１１に基づく新しい無線リソース予約が実行されるまで、アップリンクＣｏＭＰ送信モードおよびアップリンク・シングルポイント・トゥー・シングルポイント送信のために同等に予約される。
【０１１１】
さらなるステップＭ１／１２では、ネットワーク・サーバＮＳ１は、予約された１つまたは複数の第１無線リソースの情報ＩＮＦＯ−ＲＲ１と、予約された１つまたは複数の第２無線リソースのさらなる情報ＩＮＦＯ−ＲＲ２を、第１協力エリアＣＡ１のために働く第１基地局ＢＳ１および第３基地局ＢＳ３に送信し、基地局ＢＳとしての第１基地局ＢＳ１および第３基地局ＢＳ３は、次のステップＭ１／１３で、情報ＩＮＦＯ−ＲＲ１およびさらなる情報ＩＮＦＯ−ＲＲ２を受信する。
【０１１２】
情報ＩＮＦＯ−ＲＲ１は、続くフレームの、事前定義の個数の続くフレームの、または未定義の個数の続くフレームの、どのＰＲＢおよびどのサブフレームが、アップリンクＣｏＭＰ送信モードのために予約されているのかの情報を含む。
【０１１３】
情報ＩＮＦＯ−ＲＲ２は、続くフレームの、事前定義の個数の続くフレームの、または未定義の個数の続くフレームの、どのＰＲＢおよびどのサブフレームが、アップリンク・シングルポイント・トゥー・シングルポイント送信のために予約されているのかの情報を含む。
【０１１４】
代替案では、情報ＩＮＦＯ−ＲＲ１または情報ＩＮＦＯ−ＲＲ２だけを、第１基地局ＢＳ１および第３基地局ＢＳ３に送信することができ、第１基地局ＢＳ１および第３基地局ＢＳ３は、アップリンクＣｏＭＰ送信モードおよびアップリンク・シングルポイント・トゥー・シングルポイント送信に関する無線リソースの相補的使用のゆえに、受信された情報から他の情報を演繹する。
【０１１５】
無線リソースを予約するアルゴリズムが、上で説明されるようにサブステップ５で終了される場合には、情報ＩＮＦＯ−ＲＲ１および／または情報ＩＮＦＯ−ＲＲ２ではなく、情報ＲＥＳＥＴを、ネットワーク・サーバＮＳ１から基地局ＢＳに送信して、基地局ＢＳでの１つまたは複数の第１無線リソースおよび１つまたは複数の第２無線リソースの予約を取り消すことができる。
【０１１６】
ステップＭ１／１０からＭ１／１３を、周期的に実行することができ、あるいは、情報ＩＮＦＯ−ＲＵに含まれるパラメータのうちの１つが、１つまたは複数の第１無線リソースおよび１つまたは複数の第２無線リソースの新しい予約の判定を必要とする事前定義の量だけ変更された場合に実行することができる。
【０１１７】
さらなるステップＭ１／１４では、基地局ＢＳは、アップリンク送信に関する少なくとも１つの第１無線リソースまたは少なくとも１つの第２無線リソースのうちの１つまたは複数を示す第３指示ＩＮＤ３を移動局ＭＳに送信する。移動局ＭＳは、次のステップＭ１／１５で第３指示ＩＮＤ３を受信する。
【０１１８】
第３指示ＩＮＤ３は、たとえばいわゆるアップリンク・リソース・グラントとすることができるが、１つまたは複数の次のフレームのどのＰＲＢおよびどのサブフレームによって、移動局ＭＳが、基地局ＢＳ１、ＢＳ３へのアップリンクＣｏＭＰ送信モードまたは第１基地局ＢＳ１もしくは第３基地局ＢＳ３のいずれかへのシングルポイント・トゥー・シングルポイント送信のいずれかによってアップリンク・データを送信することを許可されるのかを移動局ＭＳに知らせる。
【０１１９】
代替案では、第３指示ＩＮＤ３を含むアップリンク・リソース・グラントは、さらに、１つまたは複数の事前定義の第１電力制御パラメータＰＣＰ１あるいは１つまたは複数の事前定義の第２電力制御パラメータＰＣＰ２を含むことができる。この代替案は、たとえば、１つまたは複数の事前定義の第１電力制御パラメータＰＣＰ１あるいは１つまたは複数の事前定義の第２電力制御パラメータＰＣＰ２が変更されたが、この変更に関するブロードキャストがまだ実行されていない場合に適用することができる。
【０１２０】
さらなるステップＭ１／１６では、移動局ＭＳは、示された少なくとも１つの第１無線リソースに関する事前定義の少なくとも１つの第１電力制御パラメータを適用し、あるいは、示された少なくとも１つの第２無線リソースに関する事前定義の少なくとも１つの第２電力制御パラメータを適用する。
【０１２１】
図５を参照すると、ネットワーク・ノードＮＮのブロック図が示されている。ネットワーク・ノードＮＮは、たとえば、図１に示された基地局ＢＳ１、ＢＳ２、ＢＳ３、およびＢＳ４のうちの１つなどの基地局またはやはり図１に示されたネットワーク・サーバＮＳ１、ＮＳ２のうちの１つなどのネットワーク・サーバとすることができる。
【０１２２】
ネットワーク・ノードＮＮは、第１トランシーバＮＮ−ＴＲ、たとえば固定回線などの伝送回線に第１トランシーバＮＮ−ＴＲを接続する接続ＮＮ−ＣＯＮ、第１トランシーバＮＮ−ＴＲに接続されたＣＰＵ  ＮＮ−ＣＰＵ（ＣＰＵ＝中央処理装置）、およびＣＰＵ  ＮＮ−ＣＰＵに接続されたコンピュータ可読媒体ＮＮ−ＭＥＭを含むことができる。ハード・ディスクなどのコンピュータ可読媒体ＮＮ−ＭＥＭは、コンピュータ可読プログラムＭＳ−ＰＲＯＧを格納することができる。ＣＰＵ  ＮＮ−ＣＰＵは、コンピュータ可読プログラムＮＮ−ＰＲＯＧを実行すると予見される。コンピュータ可読プログラムＮＮ−ＰＲＯＧは、ネットワーク・ノードＮＮに関係する方法ＭＥＴのステップを実行すると予見され、基地局ＢＳ１、ＢＳ２、ＢＳ３、およびＢＳ４のうちの１つから受信される情報ＩＮＦＯ−ＲＵを格納することができ、第１および／または第２の事前定義のエリアＡＲＥＡ１内で適用される１つまたは複数の事前定義の第１電力制御パラメータＰＣＰ１および１つまたは複数の事前定義の第２電力制御パラメータＰＣＰ２を格納することができ、第１協力エリアＣＡ１内で適用される１つまたは複数の第１無線リソースおよび１つまたは複数の第２無線リソースのリソース予約を格納することができる。
【０１２３】
第１トランシーバＮＮ−ＴＲは、基地局ＢＳ１、ＢＳ２、ＢＳ３、およびＢＳ４のうちの１つまたは複数から情報ＩＮＦＯ−ＲＵを受信することができ、１つまたは複数の事前定義の第１電力制御パラメータＰＣＰ１、１つまたは複数の事前定義の第２電力制御パラメータＰＣＰ２、情報ＩＮＦＯ−ＲＲ１、および情報ＩＮＦＯ−ＲＲ２を基地局ＢＳ１、ＢＳ２、ＢＳ３、およびＢＳ４のうちの１つまたは複数に送信することができる。
【０１２４】
ネットワーク・ノードＮＮが基地局である場合には、ネットワーク・ノードＮＮは、さらに、アンテナ・システムＢＳ−ＡＳと、アンテナ・システムＢＳ−ＡＳに接続され、ＣＰＵ  ＮＮ−ＣＰＵに接続された第２トランシーバ・ユニットＢＳ−ＴＲとを含むことができる。アンテナ・システムＢＳ−ＡＳは、４つのアンテナ要素ＢＳ−ＡＥ１、ＢＳ−ＡＥ２、ＢＳ−ＡＥ３、ＢＳ−ＡＥ４を含むことができる。さらなる代替案では、アンテナ・システムＢＳ−ＡＳは、１つのアンテナ要素だけ、２つのアンテナ要素、または５つ以上のアンテナ要素を含むことができる。アンテナ・システムＢＳ−ＡＳおよび第２トランシーバ・ユニットＢＳ−ＴＲは、１つまたは複数の事前定義の第１電力制御パラメータＰＣＰ１，１つまたは複数の事前定義の第２電力制御パラメータＰＣＰ２、および第３指示ＩＮＤ３を移動局ＭＳ１、ＭＳ２のうちの１つまたは複数に送信することができる。代替案では、アンテナ・システムＢＳ−ＡＳおよび第２トランシーバ・ユニットＢＳ−ＴＲは、さらに、第１指示ＩＮＤ１および第２指示ＩＮＤ２を移動局ＭＳ１、移動局ＭＳ２に送信することができる。
【０１２５】
図６を参照すると、移動局ＭＳのブロック図が示されている。移動局ＭＳは、アンテナ・システムＭＳ−ＡＳ、アンテナ・システムＭＳ−ＡＳに接続されたトランシーバＭＳ−ＴＲ、トランシーバＭＳ−ＴＲに接続されたＣＰＵ  ＭＳ−ＣＰＵ（ＣＰＵ＝中央処理装置）、およびＣＰＵ  ＭＳ−ＣＰＵに接続されたコンピュータ可読媒体ＭＳ−ＭＥＭを含むことができる。
【０１２６】
アンテナ・システムＭＳ−ＡＳは、第１アンテナ要素ＭＳ−ＡＥ１および第２アンテナ要素ＭＳ−ＡＥ２を含むことができる。さらなる代替案によれば、アンテナ・システムＭＳ−ＡＳは、単一のアンテナ要素または３つ以上のアンテナ要素を含むことができる。
【０１２７】
フラッシュ・メモリなどのコンピュータ可読媒体ＭＳ−ＭＥＭは、コンピュータ可読プログラムＭＳ−ＰＲＯＧを格納することができる。ＣＰＵ  ＭＳ−ＣＰＵは、コンピュータ可読プログラムＭＳ−ＰＲＯＧを実行すると予見される。コンピュータ可読プログラムＭＳ−ＰＲＯＧは、移動局ＭＳに関係する方法ＭＥＴのステップを実行すると予見され、アップリンクＣｏＭＰ送信モードでのさらなる送信のための１つまたは複数の事前定義の第１電力制御パラメータＰＣＰ１と、さらなるシングルポイント・トゥー・シングルポイント送信のための１つまたは複数の事前定義の第２電力制御パラメータＰＣＰ２とを格納することができる。
【０１２８】
トランシーバＭＳ−ＴＲおよびアンテナ・システムＭＳ−ＡＳは、１つまたは複数の事前定義の第１電力制御パラメータＰＣＰ１および１つまたは複数の事前定義の第２電力制御パラメータＰＣＰ２を受信することができる。代替案では、トランシーバＭＳ−ＴＲおよびアンテナ・システムＭＳ−ＡＳは、第１指示ＩＮＤ１および第２指示ＩＮＤ２をさらに受信することができる。
【０１２９】
当業者は、上で説明した実施形態の方法ステップを、プログラムされたコンピュータによって実行できることをたやすく認めるであろう。本明細書では、いくつかの実施形態は、プログラム・ストレージ・デバイス、たとえば、機械可読またはコンピュータ可読であり、機械実行可能な命令のプログラムまたはコンピュータ実行可能な命令のプログラムを符号化するディジタル・データ記憶媒体を包含することが意図されており、前記命令は、前記上で説明した方法のステップの一部またはすべてを実行する。プログラム・ストレージ・デバイスを、たとえば、ディジタル・メモリ、磁気ディスクおよび磁気テープ、ハード・ドライブなどの磁気記憶媒体、または光学的に読取可能なディジタル・データ記憶媒体とすることができる。諸実施形態は、上で説明した方法の前記ステップを実行するようにプログラムされたコンピュータを包含することも意図されている。
【０１３０】
この説明および図面は、単に、本発明の原理を示す。したがって、当業者が、本明細書で明示的に説明されず、図示されていないが、本発明の原理を実施し、本発明の趣旨および範囲に含まれるさまざまな配置を考案できることを了解されたい。さらに、本明細書で列挙されるすべての例は、特に、当技術を促進するために本発明の原理および本発明者（１人または複数）によって寄与される概念を理解する際に読者を助けるという教育的目的だけのためのものであることが、原理的に意図されており、具体的に列挙されたかかる例および条件は、限定するものではないと解釈されるべきである。さらに、本発明の原理、態様、および実施形態ならびにその特定の例を列挙する本明細書のすべての言説は、その同等物を包含することが意図されている。
【０１３１】
「〜ユニット」または「〜の手段」と表された機能ブロックは、それぞれある機能を実行するように適合された回路網を含む機能ブロックと理解されなければならない。したがって、「あるもののための手段」を、「あるもののために適合されまたはこれに適する手段」と理解することもできる。したがって、ある機能を実行するために適合された手段は、そのような手段が必ず前記機能を（所与の瞬間に）実行しつつあることを暗示しない。
【０１３２】
すべての機能ブロックを含む、図に示されたさまざまな要素の機能を、専用ハードウェアならびに適当なソフトウェアに関連してソフトウェアを実行することのできるハードウェアの使用を介して提供することができる。プロセッサによって提供される時に、機能を、単一の専用プロセッサによって、単一の共有されるプロセッサによって、またはいくつかが共有される可能性がある複数の個々のプロセッサによって、提供することができる。さらに、用語「プロセッサ」または「コントローラ」の明示的使用を、ソフトウェアを実行できるハードウェアを排他的に参照すると解釈してはならず、この明示的使用は、限定なしに、ディジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを格納する読取り専用メモリ（ＲＯＭ）、ランダム・アクセス・メモリ（ＲＡＭ）、および不揮発性ストレージを暗黙のうちに含むことができる。従来のおよび／またはカスタムの、他のハードウェアを含めることもできる。同様に、図に示されたすべてのスイッチは、概念的なものにすぎない。その機能を、プログラム論理の動作を介して、専用論理を介して、プログラム制御と専用論理との相互作用を介して、または手動でさえ実行することができ、特定の技法は、文脈からより具体的に理解されるように、実装者によって選択可能である。
【０１３３】
当業者は、本明細書のすべてのブロック図が、本発明の原理を実施する例示的な回路網の概念的な図を表すことを了解するであろう。同様に、すべてのフロー・チャート、流れ図、状態遷移図、擬似コード、および類似物は、実質的にコンピュータ可読媒体内で表すことができ、したがってコンピュータまたはプロセッサが明示的に図示されているか否かに関わりなくそのようなコンピュータまたはプロセッサによって実行され得るさまざまなプロセスを表すことを了解されたい。
【図１】
2014529961.tif 000012
【図２】
2014529961.tif 000013
【図３】
2014529961.tif 000014
【図４】
2014529961.tif 000015
【図５】
2014529961.tif 000016
【図６】
2014529961.tif 000017
【国際調査報告】
2014529961.tif 000018
2014529961.tif 000019